(57)【特許請求の範囲】
【請求項１】
基板と、前記基板上に配置された光源装置と、透過型の表示パネルと、前記光源装置からの照明光を前記表示パネルに導く照明光学系と、を備え、
前記照明光学系は、
前記基板上の前記光源装置とは異なる位置に配置された第１反射板と、
前記第１反射板と前記表示パネルとの間に配置された１／４波長板と、
前記１／４波長板と前記表示パネルとの間に配置された反射型偏光板と、
前記照明光を前記表示パネルに垂直に入射する平行光に変換するレンズと
を含み、
前記反射型偏光板は、前記光源装置側の表面に形成され、前記光源装置に対応する位置を頂点とする凸形状を有する、表示装置。
【請求項２】
前記照明光学系は、前記レンズと前記反射型偏光板との間に配置された拡散板をさらに含む、
請求項１に記載の表示装置。
【請求項３】
前記反射型偏光板が有する凸形状は、球冠形状又は円錐形状である、請求項１又は２に記載の表示装置。
【請求項４】
前記第１反射板は、前記表示パネル側の表面の、前記表示パネルから見て前記光源装置と重畳しない部分において前記表示パネルに向けて突出している凸形状を有する、
請求項１から３までの何れか一項に記載の表示装置。
【請求項５】
前記表示パネルは、入射側偏光板を含み、
前記反射型偏光板は、当該反射型偏光板の透過軸が前記入射側偏光板の透過軸と平行に配置される、
請求項１から４までの何れか一項に記載の表示装置。
【請求項６】
前記１／４波長板は、当該１／４波長板の遅相軸が前記反射型偏光板の透過軸に対して４５°回転して配置される、請求項１から５までの何れか一項に記載の表示装置。
【請求項７】
前記基板と前記表示パネルとを連結する方向に延在する側壁をさらに備え、
前記照明光学系は、前記側壁の前記照明光の光路側の表面に配置された第２反射板をさらに含む、
請求項１から６までの何れか一項に記載の表示装置。
【請求項８】
基板と、前記基板上に配置された光源装置と、透過型の表示パネルと、前記光源装置からの照明光を前記表示パネルに導く照明光学系と、を備え、
前記表示パネルは、反射型偏光板である入射側偏光板を含み、
前記照明光学系は、
前記基板上の前記光源装置とは異なる位置に配置された第１反射板と、
前記第１反射板と前記表示パネルとの間に配置された１／４波長板と、
前記照明光を前記表示パネルに垂直に入射する平行光に変換するレンズと
を含み、
前記入射側偏光板は、前記光源装置側の表面に形成され、前記光源装置に対応する位置を頂点とする凸形状を有する、表示装置。
【請求項９】
請求項１から８までの何れか一項に記載の表示装置を備え、
前記表示装置からの表示光を車両の半透過板で反射させ、操作者に虚像を視認させる、車両用ヘッドアップディスプレイ装置。
【発明の詳細な説明】
【関連出願へのクロスリファレンス】
【０００１】  本出願は、日本国特許出願２０１６−０８８１４９号（２０１６年４月２６日出願）の優先権を主張するものであり、当該出願の開示全体を、ここに参照のために取り込む。
【技術分野】
【０００２】  本発明は、表示装置及び車両用ヘッドアップディスプレイ装置に関する。
【背景技術】
【０００３】  車両用ヘッドアップディスプレイ装置は、液晶パネル等の表示パネルから表示光を射出する表示装置を備える。【０００４】  このような表示装置では、表示パネルに照射する照明光の光源装置として、通常、無偏光の照明光を発光する光源装置が用いられる。無偏光の照明光を発光する光源装置は、例えば、ＬＥＤ（Light Emitting Diode：発光ダイオード）等である。表示パネルに照射される照明光は、表示パネルの光源装置側に設けられた偏光フィルタによって特定の偏光成分のみが透過する。そのため、照明光のうち他の偏光成分は表示パネルを透過することができず、照明光の利用効率を改善する余地があった。【０００５】  そこで、例えば、相対向する第１のミラー及び第２のミラーと、それらミラーの間に一定の角度をもって配置された機能膜と、第１のミラーに隣接して配置された位相差板と、位相差板と機能膜の間に配置された光源装置とからなる複合光学素子が開発されている（例えば、特許文献１参照）。このような複合光学素子によると、光源装置から射出される無偏光の照明光のうち、ある偏光成分（Ｓ波）が機能膜で反射して表示パネルの方向に射出され、他の偏光成分（Ｐ波）が機能膜を透過して第２のミラーに到達する。第２のミラーで反射したＰ波は、位相差板を通過する際に円偏光に変換され、第１のミラーで反射して再び位相差板を通過してＳ波となり、機能膜で反射して表示パネルの方向に射出される。このようにして、照明光の利用効率を改善することが行われていた。
【先行技術文献】
【特許文献】
【０００６】
【特許文献１】特開２００８−１１６８８８号公報
【発明の概要】
【０００７】
本開示の一実施形態に係る表示装置は、基板と、光源装置と、透過型の表示パネルと、照明光学系と、を備える。前記光源装置は、前記基板上に配置される。前記照明光学系は、前記光源装置からの照明光を前記表示パネルに導く。前記照明光学系は、第１反射板と、１／４波長板と、反射型偏光板と、レンズとを含む。前記第１反射板は、前記基板上の前記光源装置とは異なる位置に配置される。前記１／４波長板は、前記第１反射板と前記表示パネルとの間に配置される。前記反射型偏光板は、前記１／４波長板と前記表示パネルとの間に配置される。前記レンズは、前記照明光を前記表示パネルに垂直に入射する平行光に変換する。前記反射型偏光板は、前記光源装置側の表面に形成され、前記光源装置に対応する位置を頂点とする凸形状を有する。
【０００８】
本開示の他の実施形態に係る表示装置は、基板と、光源装置と、透過型の表示パネルと、照明光学系と、を備える。前記光源装置は、前記基板上に配置される。前記照明光学系は、前記光源装置からの照明光を前記表示パネルに導く。前記表示パネルは、反射型偏光板である入射側偏光板を含む。前記照明光学系は、第１反射板と、１／４波長板と、レンズとを含む。前記第１反射板は、前記基板上の前記光源装置とは異なる位置に配置される。前記１／４波長板は、前記第１反射板と前記表示パネルとの間に配置される。前記レンズは、前記照明光を前記表示パネルに垂直に入射する平行光に変換する。前記入射側偏光板は、前記光源装置側の表面に形成され、前記光源装置に対応する位置を頂点とする凸形状を有する。
【０００９】  本開示の一実施形態に係る車両用ヘッドアップディスプレイ装置は、前記表示装置を備え、前記表示装置からの表示光を車両の半透過板で反射させ、操作者に虚像を視認させる。
【図面の簡単な説明】
【００１０】
【図１】本開示の第１の実施形態に係る車両用ヘッドアップディスプレイ装置の概略構成を示す図である。
【図２】図１の表示装置の概略構成を示す図である。
【図３】図１の表示装置の照明光を説明する図である。
【図４】図１の表示装置の照明光を説明する図である。
【図５】図１の表示装置の照明光を説明する図である。
【図６】本発明の第２の実施形態に係る表示装置の概略構成を示す図である。
【図７】図６の表示装置の照明光を説明する図である。
【発明を実施するための形態】
【００１１】  以下、諸図面を参照しながら、本開示の一実施形態を詳細に説明する。
【００１２】（第１の実施形態）  図１を参照して、本開示の第１の実施形態に係る車両用ヘッドアップディスプレイ装置１の概略構成について説明する。車両用ヘッドアップディスプレイ装置１は、表示装置１０と、投影光学系２０とを備える。車両用ヘッドアップディスプレイ装置１は、例えば、車両Ｖのダッシュボード等に収容される。
【００１３】  表示装置１０は、表示光Ｘを、投影光学系２０を経て車両用ヘッドアップディスプレイ装置１の外部に射出する。表示光Ｘは車両Ｖのウインドシールド等の半透過板Ｙで反射する。反射した表示光Ｘは車両Ｖの操作者Ｍ（運転手等）の眼球に入射する。このように、表示光Ｘが操作者Ｍの眼球に入射することで、操作者Ｍに視認可能な虚像Ｚが半透過板Ｙの前方の所定の位置に生成される。
【００１４】  表示装置１０は、光源装置や透過型の表示パネル等を備える。光源装置から射出される照明光は、透過型の表示パネルを透過する。照明光は、表示パネルの透過後に、表示装置１０の外部に射出される。照明光は、表示パネルを透過するときに、所望の画像に応じて照明光の各波長の強度が減衰する。照明光は、表示パネルの通過によって表示光Ｘとなる。表示装置１０の詳細は後述する。
【００１５】  投影光学系２０は、表示装置１０からの表示光Ｘを半透過板Ｙに導く。投影光学系２０は、表示光Ｘが投影される範囲を拡大しうる。投影光学系２０は、例えば凹面鏡等のミラーを有する。図１では、投影光学系２０が２つのミラーを有する場合を例示したが、ミラーの個数は２つに限定されない。
【００１６】  半透過板Ｙは、入射した光の一部を反射する。半透過板Ｙは、入射した光の一部を透過しうる。半透過板Ｙは、車両Ｖに備えうる。半透過板Ｙは、車両Ｖのウインドシールドの他、表示光Ｘを反射させるコンバイナ等であってよい。コンバイナ等の半透過板Ｙは、車両用ヘッドアップディスプレイ装置１に含まれうる。半透過板Ｙは、車両用ヘッドアップディスプレイ装置１から照射される表示光Ｘの一部を反射させる。半透過板Ｙは、操作者Ｍの目が存在すると想定している空間に向かって表示光Ｘを反射させる。
【００１７】  図２を参照して、表示装置１０の概略構成について説明する。表示装置１０は、光源装置１１と、表示パネル１２と、照明光学系１３と、側壁１４と、基板１５とを備える。表示パネル１２は、入射側偏光板１２１を含む。照明光学系１３は、第１反射板１３１と、１／４波長板１３２と、反射型偏光板１３３と、レンズ１３４と、拡散板１３５と、第２反射板１３６とを含む。
【００１８】  光源装置１１は、基板１５上に配置される。光源装置１１は、図３に示すように、照明光Ｘ0を射出する部材である。図２の例示では、基板１５上に３個の光源装置１１が位置している。光源装置１１の個数は限定されない。各光源装置１１から射出される照明光Ｘ0は、図３に示すように、照明光学系１３を透過して表示パネル１２に照射される。ここで、各光源装置１１は、一つの発光素子であってよい。各光源装置１１は、一つの点光源とみなせる複数の発光素子を含みうる。各光源装置１１は、複数の発光素子が近接して位置しうる。各光源装置１１は、例えば、それぞれ無偏光の白色光を発散して射出する１つ又は複数のＬＥＤ（Light Emitting Diode：発光ダイオード）等の発光素子を含む。
【００１９】  表示パネル１２は、透過型の表示パネルである。表示パネル１２は、入射側偏光板１２１を備える。表示パネル１２は、液晶表示パネル及びＭＥＭＳシャッターパネルを含む。表示パネル１２は、例えば、出射側偏光板、ガラス基板、透明電極、配向膜、液晶表示素子、カラーフィルタ等を含みうる。表示パネル１２は、図３に示すように、光源装置１１から照明光学系１３を経て照明光Ｘ0が照射されると、その透過光を表示光Ｘとして射出する。表示光Ｘは、表示パネル１２に表示される画像に対応する光となる。表示パネル１２にカラー画像が表示されている場合、表示光Ｘは、カラー画像に対応する光となる。表示パネル１２に表示される画像が変化すると、表示光Ｘは、変化した画像に対応して変化する。
【００２０】  照明光学系１３は、各光源装置１１と表示パネル１２との間に位置する。照明光学系１３は、各光源装置１１からの照明光Ｘ0を表示パネル１２に導く。
【００２１】  側壁１４は、基板１５と表示パネル１２とを連結する方向に延在する。側壁１４は、基板１５及び表示パネル１２と共に、光源装置１１及び照明光学系１３の周囲を覆う。
【００２２】  基板１５は、表示パネル１２と対向する。基板１５は、例えば表示パネル１２と平行に設けられる。基板１５は、光源装置１１に電力を供給する回路部等を備える。
【００２３】  入射側偏光板１２１は、表示パネル１２に含まれる偏光板である。入射側偏光板１２１は、照明光Ｘ0（図３〜図５参照）が入射する側、すなわち光源装置１１側に配置される。入射側偏光板１２１は、表示パネル１２に照射される照明光Ｘ0のうち、入射側偏光板１２１の透過軸に沿う方向の直線偏光成分のみを透過させる。
【００２４】  第１反射板１３１は、基板１５上の光源装置１１とは異なる位置に配置される。第１反射板１３１は、入射する光を反射するフィルム状の部材である。第１反射板１３１は、本実施形態では、図２に示すように、基板１５上の光源装置１１以外の表面を覆うようにして設けられる。
【００２５】  １／４波長板１３２は、互いに直交する進相軸と遅相軸とを有する。１／４波長板１３２は、入射する光のうち、進相軸に沿う偏光成分に対して遅相軸に沿う偏光成分を、１／４波長分遅らせて透過させる。１／４波長板１３２は、第１反射板１３１と表示パネル１２との間に配置される。１／４波長板１３２は、その遅相軸が入射側偏光板１２１の透過軸に対して４５°回転して配置される。１／４波長板１３２は、本実施形態では、図２に示すように、第１反射板１３１の表示パネル１２側の表面を覆うようにして設けられる。
【００２６】  反射型偏光板１３３は、入射する光のうち、透過軸に沿う方向の直線偏光成分のみを透過させ、他の偏光成分を反射する。反射型偏光板１３３は、１／４波長板１３２と表示パネル１２との間に配置される。反射型偏光板１３３は、その透過軸が入射側偏光板１２１の透過軸と平行となるように配置される。反射型偏光板１３３は、本実施形態では、図２に示すように、表示パネル１２の入射側偏光板１２１の表面を覆うようにして設けられる。
【００２７】  反射型偏光板１３３は、光源装置１１側の表面に形成され、光源装置１１に対応する位置を頂点とする凸形状を有する。光源装置１１に対応する位置とは、図３に示すように、光源装置１１から射出される照明光Ｘ0の光軸Ｏと交差する位置である。反射型偏光板１３３が有する凸形状としては、球冠形状（図２参照）や、円錐形状等が挙げられる。反射型偏光板１３３は、このような凸形状を有することで、反射型偏光板１３３での照明光Ｘ0の反射光の配光分布を、第１反射板１３１に入射する割合が高くなるように変換する。換言すると、凸形状を有する反射型偏光板１３３は、凸形状を有さない場合に比べて、入射する照明光Ｘ0を第１反射板１３１の方向により多く反射する。
【００２８】  レンズ１３４は、光源装置１１から射出される照明光Ｘ0を、図３に示すように、表示パネル１２に垂直に入射する平行光に変換するコリメータレンズである。レンズ１３４は、各光源装置１１に対応してそれぞれ１つ以上配置される。レンズ１３４は、本実施形態では、図２に示すように、各光源装置１１に対応して、各光源装置１１と拡散板１３５との間に、それぞれ１つずつ設けられる。
【００２９】  拡散板１３５は、レンズ１３４と反射型偏光板１３３との間に配置される。拡散板１３５は、レンズ１３４からの照明光Ｘ0（図３から図５参照）を拡散透過して、反射型偏光板１３３に導く。拡散板１３５は、本実施形態では、図２に示すように、反射型偏光板１３３のレンズ１３４側の表面を覆うようにして設けられる。
【００３０】  第２反射板１３６は、側壁１４の照明光Ｘ0の光路側の表面に配置される。第２反射板１３６は、入射する光を反射するフィルム状の部材である。第２反射板１３６は、本実施形態では、図２に示すように、側壁１４の照明光Ｘ0の光路側の表面を覆うようにして設けられる。
【００３１】  次に、表示装置１０の照明光Ｘ0について、図３から図５を参照して説明する。図３に示すように、各光源装置１１から射出される照明光Ｘ0は、レンズ１３４によって表示パネル１２に垂直に入射する平行光に変換される。平行光に変換された照明光Ｘ0は、拡散板１３５を透過し、反射型偏光板１３３に入射する。
【００３２】  反射型偏光板１３３に入射した照明光Ｘ0のうち、反射型偏光板１３３の透過軸に沿う方向の直線偏光成分（例えばＰ偏光）は、図３に示すように、反射型偏光板１３３を透過して、入射側偏光板１２１に入射する。反射型偏光板１３３の透過軸と入射側偏光板１２１の透過軸とは互いに平行であるので、反射型偏光板１３３を透過した照明光Ｘ0は、入射側偏光板１２１を透過する。入射側偏光板１２１を透過した照明光Ｘ0は、表示パネル１２で表示光Ｘに変換され、表示パネル１２から射出される。
【００３３】  一方、反射型偏光板１３３に入射した照明光Ｘ0のうち、反射型偏光板１３３の透過軸と直交する方向の直線偏光成分（例えばＳ偏光）は、図４に示すように、反射型偏光板１３３で反射される。反射型偏光板１３３は、反射型偏光板１３３での照明光Ｘ0の反射光の配向分布を、第１反射板１３１に入射する割合が高くなるように変換する。従って、反射型偏光板１３３で反射された照明光Ｘ0の多くは、図４に示すように、再び拡散板１３５を透過した後、１／４波長板１３２を透過して、第１反射板１３１に入射する。照明光Ｘ0が１／４波長板１３２を透過する際、反射型偏光板１３３の透過軸と直交する方向の直線偏光成分（例えばＳ偏光）である照明光Ｘ0は、円偏光に変換される。
【００３４】  第１反射板１３１に入射した照明光Ｘ0は、第１反射板１３１で反射され、図５に示すように、再び１／４波長板１３２を透過後、拡散板１３５を透過して反射型偏光板１３３に入射する。１／４波長板１３２を透過する際、円偏光である照明光Ｘ0は反射型偏光板１３３の透過軸に沿う方向の直線偏光成分（例えばＰ偏光）に変換されるので、反射型偏光板１３３に入射する照明光Ｘ0は、反射型偏光板１３３を透過する。反射型偏光板１３３を透過した照明光Ｘ0は、入射側偏光板１２１を透過し、表示パネル１２で表示光Ｘに変換され、表示パネル１２から射出される。
【００３５】  このように、光源装置１１から射出された照明光Ｘ0のうち、表示パネル１２に含まれる入射側偏光板１２１の透過軸と直交する方向の直線偏光成分は、反射型偏光板１３３によって、第１反射板１３１に入射する割合が高くなるように配光分布を変換した反射光として反射される。反射した照明光Ｘ0は、第１反射板１３１で反射して反射型偏光板１３３に再び向かう際に、１／４波長板１３２を２回通過することで入射側偏光板１２１の透過軸に沿う方向の直線偏光成分に変換されるため、反射型偏光板１３３及び入射側偏光板１２１を透過して表示光Ｘに変換される。表示装置１０は、照明光Ｘ0の利用効率を高めることができる。表示装置１０は、光源装置１１を表示パネル１２と対向する基板１５上に設置することができるので、表示パネル１２と基板１５との間隔を狭くすることができ、小型化を図ることができる。
【００３６】  図３から図５に示した照明光Ｘ0は例示である。例えば、図４に示した反射型偏光板１３３で反射される照明光Ｘ0や、図５に示した第１反射板１３１で反射される照明光Ｘ0は、その一部が第２反射板１３６に入射する。第２反射板１３６に入射した照明光Ｘ0は、第２反射板１３６で反射して１／４波長板１３２や拡散板１３５に入射し、上記同様に表示光Ｘに変換されて表示パネル１２から射出される。表示装置１０は、照明光Ｘ0の利用効率をさらに高めることができる。
【００３７】（第２の実施形態）  本開示の第２の実施形態に係る表示装置１０’は、図６に示すように、光源装置１１と、表示パネル１２と、照明光学系１３と、側壁１４と、基板１５とを備える。表示パネル１２は、入射側偏光板１２１を含む。照明光学系１３は、第１反射板１３１’と、１／４波長板１３２と、反射型偏光板１３３と、レンズ１３４と、拡散板１３５と、第２反射板１３６とを含む。なお、表示装置１０’が備える第１反射板１３１’以外の構成は、第１の実施形態に係る表示装置１０と同様であるので、説明を省略する。
【００３８】  第１反射板１３１’は、基板１５上の光源装置１１とは異なる位置に配置される。第１反射板１３１’は、入射する光を反射するフィルム状の部材である。第１反射板１３１’は、本実施形態では、図６に示すように、基板１５上の光源装置１１以外の表面を覆うようにして設けられる。
【００３９】  第１反射板１３１’は、表示パネル１２側の表面に形成された凸形状及び／又は凹形状を有する。第１反射板１３１’が有する凸形状及び／又は凹形状としては、球冠形状（図６参照）や、円錐形状等が挙げられる。第１反射板１３１’は、このような凸形状及び／又は凹形状を有することで、反射型偏光板１３３で反射した照明光Ｘ0の反射光を、表示パネル１２に垂直に入射する平行光として反射する割合を高める。
【００４０】  次に、表示装置１０’の照明光Ｘ0について、図７を参照して説明する。なお、第１反射板１３１’に入射する照明光Ｘ0以外の照明光Ｘ0については、第１の実施形態に係る表示装置１０における照明光Ｘ0と同様であるので、説明を省略する。
【００４１】  照明光Ｘ0は、第１反射板１３１’に入射すると、図７に示すように、表示パネル１２に垂直に入射する平行光として反射する割合が高められて反射する。これにより、表示装置１０’は、表示装置１０で得られる効果に加えて、照明光Ｘ0利用効率をさらに高めることができる。
【００４２】  本開示を諸図面や実施形態に基づき説明してきたが、当業者であれば本開示に基づき種々の変形や修正を行うことが容易であることに注意されたい。従って、これらの変形や修正は本開示の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。
【００４３】  また、上記各実施形態に係る表示装置が備える表示パネル１２は、反射型偏光板１３３を入射側偏光板１２１として含んでいてよい。すなわち、反射型偏光板１３３と入射側偏光板１２１とを別の構成要素とせず、同一の構成要素としてよい。
【００４４】  また、上記各実施形態に係る表示装置が備える側壁１４は、光源装置１１及び照明光学系１３の周囲全体を覆うように設けられる必要はなく、一部を覆うように設けられていればよい。さらに、上記各実施形態に係る表示装置は、側壁１４を備えていなくてよく、同様に、第２反射板１３６を備えていなくてよい。
【００４５】  また、上記各実施形態に係る表示装置は、車両用ヘッドアップディスプレイ装置１に用いられることには限定されない。
【符号の説明】
【００４６】  １  車両用ヘッドアップディスプレイ装置  １０、１０’  表示装置  １１  光源装置  １２  表示パネル  １３  照明光学系  １４  側壁  １５  基板  ２０  投影光学系  １２１  入射側偏光板  １３１、１３１’  第１反射板  １３２  １／４波長板  １３３  反射型偏光板  １３４  レンズ  １３５  拡散板  １３６  第２反射板  Ｍ  操作者  Ｏ  光軸  Ｖ  車両  Ｘ  表示光  Ｘ0  照明光  Ｙ  半透過板  Ｚ  虚像
【図１】
0006600742.tif 000002
【図２】
0006600742.tif 000003
【図３】
0006600742.tif 000004
【図４】
0006600742.tif 000005
【図５】
0006600742.tif 000006
【図６】
0006600742.tif 000007
【図７】
0006600742.tif 000008